(57)【特許請求の範囲】
【請求項１】
ガイド体に対し取付部材を移動可能に支持するガイド支持装置であって、
前記取付部材に取り付けられるケース体と、
このケース体に回動可能に取り付けられ、前記ガイド体に係合するガイドが回転中心から偏心して突設したガイド調整体と、
開口部、およびこの開口部の軸中心に対し軸中心が偏心して開口し前記ガイド調整体のガイドが嵌挿される挿通孔を備え、この挿通孔に前記ガイドを嵌挿した状態で、前記開口部が前記ケース体に回動可能に係合されて取り付けられる回動部材と
を具備し、
前記ケース体には、前記ガイド調整体の軸方向への移動のみを許容する上下案内部と、
前記ケース体に対する前記ガイド調整体の回動を許容する回動空間部と
が設けられていることを特徴としたガイド支持装置。
【請求項２】
ガイド調整体と回動部材との少なくともいずれか一方には、これらガイド調整体および回動部材を回動させて、取付部材の厚み方向における取付け位置を調整操作する操作部が設けられている
ことを特徴とした請求項１記載のガイド支持装置。
【請求項３】
回動部材およびケース体には、互いの回動を規制する回り止め部が設けられている
ことを特徴とした請求項１または２記載のガイド支持装置。
【請求項４】
ケース体の回り止め部は、ケース体の内周面に設けられ、
回動部材の回り止め部は、ケース体の内周面に係合する突出部の外周面に設けられている
ことを特徴とした請求項３記載のガイド支持装置。
【発明の詳細な説明】
【０００１】
【発明の属する技術分野】
本発明は、例えば、ガイドレールなどのガイド体に対し、引戸体などの取付部材を移動可能に支持するガイド支持装置に関する。
【０００２】
【従来の技術】
従来、この種のガイド支持装置としては、例えば、特開平１０−２６６６８０号公報に記載の構成が知られている。
【０００３】
この特開平１０−２６６６８０号公報に記載のガイド支持装置は、取付部材としての引戸体の戸当り面の両側の上端角部にそれぞれ形成した埋設凹部にケース体が埋設されている。
【０００４】
そして、このケース体に形成した嵌合孔には、ガイド調整体が回動可能に嵌合されている。また、このガイド調整体には、このガイド調整体の回動中心から偏心した位置に嵌合孔が形成されており、この嵌合孔には、ガイド体としてのガイドレールに対する引戸体の建て付け位置を調整するガイドが嵌合されている。
【０００５】
このガイドには、ガイドレールに対する引戸体の建て付け位置を操作する操作部が設けられている。また、このガイドには、ガイドレールに対して移動可能に嵌合する受座体が取り付けられている。
【０００６】
このため、スパナなどでガイドの操作部をケース体に対して回動させることにより、ガイド調整体が回動するので、引戸体を建て付け調整する厚み方向に移動して引き戸体間を建て付け操作する。
【０００７】
【発明が解決しようとする課題】
しかしながら、上記特開平１０−２６６６８０号公報に記載のガイド支持装置では、引戸体に埋設したケース体に、ガイドの操作部が取り付けられているため、この操作部もまた、引戸体に埋設された位置に配設されている。このため、スパナなどで操作部を操作して、引戸体である取付部材の建て付け調整、すなわち厚み方向への調整に手間が掛かる。
【０００８】
また、受座体が取り付けられたガイドをガイド調整体の嵌合孔に取り付け、さらに、このガイド調整体をケース体の嵌合孔に取り付けた構成であるため、部品点数が多く、構造が複雑であり、組付け性があまり良くないという問題を有している。
【０００９】
本発明は、このような点に鑑みなされたもので、取付部材を簡単に建付け調整でき、構造が簡単で組付け性に優れたガイド支持装置を提供することを目的とする。
【００１０】
【課題を解決するための手段】
請求項１記載のガイド支持装置は、ガイド体に対し取付部材を移動可能に支持するガイド支持装置であって、前記取付部材に取り付けられるケース体と、このケース体に回動可能に取り付けられ、前記ガイド体に係合するガイドが回転中心から偏心して突設したガイド調整体と、開口部、およびこの開口部の軸中心に対し軸中心が偏心して開口し前記ガイド調整体のガイドが嵌挿される挿通孔を備え、この挿通孔に前記ガイドを嵌挿した状態で、前記開口部が前記ケース体に回動可能に係合されて取り付けられる回動部材とを具備し、前記ケース体には、前記ガイド調整体の軸方向への移動のみを許容する上下案内部と、前記ケース体に対する前記ガイド調整体の回動を許容する回動空間部とが設けられているものである。
【００１１】
そして、この構成では、ケース体に対してガイド調整体を適宜に回動することにより、ガイド調整体の回転中心からガイドを偏心してガイド体に係合したため、ケース体に取り付けた取付部材と、ガイド調整体のガイドに係合したガイド体とが建付け調整可能となる。この結果、ガイド体に対する取付部材の建付け調整が簡単になるとともに、構造が簡単になり組付け性が向上する。
【００１２】
さらに、この構成では、回動部材の挿通孔にガイド調整体のガイドを嵌挿させた後、この回動部材をケース体に回動可能に取り付ける。この結果、ケース体からのガイド調整体の離脱が防止される。また、ケース体に対して回動部材を回動することにより、ガイド調整体が回動するので、ガイド体に対する取付部材の建付け調整がより簡単になる。
【００１３】
また、この構成では、ガイド調整体の軸方向への移動のみを許容する上下案内部と、ケース体に対するガイド調整体の回動を許容する回動空間部とをケース体に設けたため、ケース体の回動空間部以外の位置でガイド調整体が回動不能となる。この結果、ガイド調整体を回動空間部へと移動してこのガイド調整体を回動した後、このガイド調整体を上下案内部へと移動することにより、ガイド体に対する取付部材の厚み方向における調整が可能となる。このため、ガイド体に対する取付部材の厚み方向における調整がより簡単になるとともに、この調整位置がより正確に保持される。
【００１４】
請求項２記載のガイド支持装置は、請求項１記載のガイド支持装置において、ガイド調整体と回動部材との少なくともいずれか一方には、これらガイド調整体および回動部材を回動させて、取付部材の厚み方向における取付け位置を調整操作する操作部が設けられているものである。
【００１５】
そして、この構成では、ガイド調整体と回動部材との少なくともいずれか一方に設けた操作部により、ガイド調整体が回動されるので、取付部材の厚み方向における調整が簡単になる。さらには、取付部材を吊り込んだ後であっても、ガイド体に対する取付部材の厚み方向における建付け調整が簡単になる。
【００１６】
請求項３記載のガイド支持装置は、請求項１または２記載のガイド支持装置において、回動部材およびケース体には、互いの回動を規制する回り止め部が設けられているものである。
【００１７】
そして、この構成では、互いの回動を規制する回り止め部を回動部材およびケース体に設けたため、部品点数を増やすことなく、簡単な構成で回り止めが構成され、取付部材における厚み方向の調整位置が確保される。
【００１８】
請求項４記載のガイド支持装置は、請求項３記載のガイド支持装置において、ケース体の回り止め部は、ケース体の内周面に設けられ、回動部材の回り止め部は、ケース体の内周面に係合する突出部の外周面に設けられているものである。
【００１９】
そして、この構成では、ケース体の回り止め部をこのケース体の内周面に設け、回動部材の回り止め部をケース体の内周面に係合する突出部の外周面に設けたので、ケース体に回動部材を取り付けると、このケース体が回動部材と突出部との間に挟み込まれる。この結果、ケース体に対する回動部材の回動がより安定する。
【００２０】
【発明の実施の形態】
以下、本発明のガイド支持装置の第１の実施の形態の構成を図１ないし図４を参照して説明する。
【００２１】
図１ないし図４において、１はガイド支持装置で、このガイド支持装置１は、例えば、建物の図示しない天井板などに取り付けたガイド体としてのガイドレール２に移動可能に取り付けた走行体３に吊り下げた取付部材としての引戸体４を、建物の図示しない床などに取り付けたガイド体としてのガイドレール５に対し移動可能に調整して支持する。
【００２２】
そして、ガイドレール２は、長手方向に沿って互いに離間して形成された複数、例えば３列の嵌合凹部11a,11b,11cを備えている。これら嵌合凹部11a,11b,11cそれぞれには、これら嵌合凹部11a,11b,11c内を長手方向に沿って自在に走行する走行体３が移動可能にそれぞれ配設されている。これら走行体３の下方には、引戸体４の上端面がそれぞれ接続されている。そして、これら引戸体４をガイドレール２の長手方向に向けて移動させることにより、各走行体３が嵌合凹部11a,11b,11c内を走行する。
【００２３】
また、ガイドレール５は、細長略板状に形成されており、建物の床面に対して略面一となるように取り付けられている。また、このガイドレール５の幅方向における略中央、および両側それぞれには、このガイドレール５における長手方向に沿った複数、例えば３列の凹溝状の嵌合凹部21a,21b,21cが並設されている。これら嵌合凹部21a,21b,21cは、ガイドレール２の各嵌合凹部11a,11b,11cに沿って、これら嵌合凹部11a,11b,11cの鉛直下方にそれぞれ形成されている。また、これら嵌合凹部21a,21b,21cの内側面それぞれの略中央には、互いに相対した方向に向けて突出する係合凸部22a,22bがそれぞれこれら嵌合凹部21a,21b,21cの長手方向に沿って形成されている。
【００２４】
そして、ガイド支持装置１は、合成樹脂などで略有底円筒状に成形されたケース体31を備えている。このケース体31の外周面の周方向に沿って等間隔に離間した位置には、このケース体31の長手方向に沿った抜止凸部32が複数、例えば４つ突設されている。また、このケース体31の開口部33の開口外縁には、径方向に向けて突出する周方向に沿った円環状のフランジ部34が形成されている。このフランジ部34の外周面には、互いの回動を規制する回り止め部としてのローレット35が形成されている。さらに、ケース体31の底部36の内面側略中央には、略円柱状のばね嵌合突部37が突設されている。
【００２５】
また、このケース体31の開口部33には、付勢手段としての弾性体であるばね体41が挿入されている。このばね体41は、螺旋状に金属線を巻回することにより形成されたつる巻きばねである。さらに、このばね体41は、ケース体31内に挿入した際に、このばね体41の一端がケース体31内のばね嵌合突部37に取り付けられている。そして、ばね体41を開口部33からケース体31内に挿入した状態で、このケース体31の開口部33には、炭素鋼の線材などで成形された略円柱状のガイド調整体51が回動可能に挿入されている。
【００２６】
このガイド調整体51は、ケース体31の内周形状と略合致した円筒状のガイド調整本体52を備えており、このガイド調整本体52の軸方向における先端側には、このガイド調整本体52より細い略円柱状のガイド53が突設されている。このガイド53は、ガイド調整本体52の回転中心から軸中心が偏心した位置に形成されている。また、このガイド53の先端には、このガイド53より細い略円柱状の係合部54が同心状に形成されている。この係合部54の軸方向における略中間には、この係合部54の周方向に沿った凹溝状の嵌合溝部55が形成されている。さらに、この係合部54の基端の外周面の互いに対向する位置には、切り欠かれた平面状の操作部としてのスパナ保持部56が形成されている。このスパナ保持部56は、図示しない六角スパナで保持して、このガイド53をケース体31に対して回動させる。
【００２７】
さらに、ケース体31のフランジ部34には、合成樹脂などで成形された略有底円筒状の回動部材61が取り付けられている。この回動部材61の開口部62の開口内縁には、ケース体31のローレット35と係合する回り止め部としてのローレット63が周方向に沿って形成されている。このローレット63は、ケース体31に対する回動部材61の回動を規制する。また、この回動部材61の底部64には、ガイド調整体51のガイド53が挿通する挿通孔65が穿設されている。この挿通孔65は、回動部材61の開口部62の軸中心に対し軸中心が偏心して開口している。さらに、この回動部材61の開口部62の内縁には、図４に示すように、軸中心方向に向けて突出する係合爪67a,67b,67cが、例えば３つ周方向に等間隔に離間されて形成されている。これら係合爪67a,67b,67cは、回動部材61をケース体31の開口部33に嵌合した際に、このケース体31のフランジ部34にそれぞれ摺動可能に係合する。
【００２８】
そして、回動部材61の底部64の周縁近傍には、周方向に沿って等間隔に離間した複数、例えば３つの円弧状の抜き孔66a,66b,66cが穿設されている。これら抜き孔66a,66b,66cは、成形時に係合爪67a,67b,67cを形成した際の抜き孔である。そして、回動部材61は、ケース体31にガイド調整体51のガイド調整本体52を挿入した状態で、このケース体31の開口部33に取付けた際に、ガイド調整体51の係合部54が挿通孔65を挿通する。
【００２９】
また、ガイド調整体51の先端には、略円環状の支持体としてのピボット71が回動可能に取り付けられている。このピボット71は、円筒状の基部72の軸方向における一端の開口外縁に径方向に向けて突出する円環状のフランジ部73が形成されている。また、このピボット71の基部72の内周面の軸方向における略中間には、周方向に沿った凹溝状の嵌合凸部74が形成されている。この嵌合凸部74は、ピボット71の基部72にガイド調整体51の係合部54を挿入した際に、この係合部54の嵌合溝部55に嵌合する。さらに、ピボット71の基部72は、ガイドレール５の嵌合凹部21a,21b,21cに摺動可能に嵌挿される。
【００３０】
次に、上記第１の実施の形態の組み立て動作を説明する。
【００３１】
まず、ケース体31の開口部33にばね体41を挿入し、このばね体41の一端をケース体31のばね嵌合突部37に嵌合する。
【００３２】
次いで、このケース体31の開口部33に、ガイド調整体51のガイド調整本体52の基端を挿入する。
【００３３】
この状態で、このガイド調整体51の係合部54を、回動部材61の開口部62側からこの回動部材61の挿通孔65に嵌挿した後、この回動部材61の開口部62にケース体31のフランジ部34を嵌合させる。
【００３４】
次いで、ガイド調整体51の係合部54を、ピボット71のフランジ部73側から、このピボット71の基部72に嵌挿して、このピボット71の嵌合凸部74をガイド調整体51の嵌合溝部55に嵌合させる。
【００３５】
この後、走行体３でガイドレール２に吊り下げた引戸体４の下端面に開口した埋設凹部81に、ケース体31の底部36側を嵌挿した後、ピボット71の基部72をガイドレール５の嵌合凹部21a,21b,21cに嵌挿して、このピボット71の基部72をガイドレール５の嵌合凸部22a,22b間に摺動可能に嵌合する。
【００３６】
次に、上記第１の実施の形態の作用を説明する。
【００３７】
まず、ガイド調整体51のスパナ保持部56に六角スパナを嵌合させた後、この六角スパナでガイド調整体51をケース体31に対して回動する。
【００３８】
このとき、ガイド調整体51のガイド53の軸中心がガイド調整本体52の軸中心に対して偏心し、さらに回動部材61の挿通孔65の軸中心がこの回動部材61の開口部62の軸中心に対して偏心しているため、ガイド調整体51の回動に伴って回動部材61が回動する。
【００３９】
この結果、引戸体４の内外方向である厚み方向におけるケース体31の軸中心と、ガイド調整体51のガイド53の軸中心とのずれの距離が調整されるので、ガイドレール５に対して引戸体４が建付け調整される。
【００４０】
上述したように、上記第１の実施の形態によれば、ケース体31に対しガイド調整体51を回動することにより、このガイド調整体51の偏心したガイド53の回動に伴い回動部材61が回動する。このため、引戸体４の厚み方向におけるガイド調整本体52の軸中心とケース体31の軸中心との距離を調整できる。この結果、引戸体４とガイドレール５とを建付け調整できる。また、ケース体31、ばね体41、ガイド調整体51、回動部材61およびピボット71による５つの部品で構成できるため、構造を簡単にできるとともに、組付け性を向上できる。
【００４１】
そして、回動部材61の挿通孔65にガイド調整体51のガイド53を挿通させた後、この回動部材61をケース体31に回動可能に取り付けるため、ケース体31からのガイド調整体51の離脱を防止できる。
【００４２】
このとき、ガイド調整体51を回動させる代わりに、ケース体31に対し回動部材61を回動させた場合であっても、この回動部材61の回動に伴いガイド調整体51がケース体31に対して回動する。この結果、ガイドレール５に対する引戸体４の建付け調整をより簡単にできる。
【００４３】
そして、ガイド調整体51のガイド53のスパナ保持部56に六角スパナを嵌合させることにより、この六角スパナでガイド調整体51を回動できる。このため、引戸体４をガイドレール２に吊り込んだ後であっても、ガイドレール５に対する引戸体４の厚み方向における調整をより簡単にできる。
【００４４】
また、ケース体31のフランジ部34および回動部材61の開口部62の内縁のそれぞれにローレット35,63を形成したため、部品点数を増やすことなく、簡単な構成でケース体31に対する回動部材61の回り止めを構成できる。この結果、ケース体31に対する回動部材61の回動を規制できるため、ガイドレール５に対する引戸体４の厚み方向における位置調整を容易に確保できる。
【００４５】
そして、ケース体31の外周面に抜止凸部32を突設したため、このケース体31を引戸体４の埋設凹部81に埋設した際におけるこの埋設凹部81に対するケース体31の回動および離脱を防止できる。
【００４６】
また、ケース体31の底部36にばね嵌合突部37を突設し、このケース体31に挿入したばね体41の一端をばね嵌合突部37に取り付けたため、ケース体31内でばね体41を位置決め固定できる。この結果、ケース体31内でのばね体41のずれなどを防止できる。
【００４７】
さらに、ばね体41をケース体31内に挿入した状態で、このケース体31にガイド調整体51を挿入するため、このばね体41の弾性力により、ケース体31内に挿入したガイド調整体51をケース体31の開口部33側に向けて付勢できる。この結果、このばね体41によりガイド調整体51がガイドレール５を付勢するので、引戸体４に懸架手段を形成できる。
【００４８】
また、ガイド調整体51の係合部54に嵌合溝部55を形成し、ピボット71の基部72の内周面に嵌合凸部74を形成したため、ピボット71の基部にガイド調整体51の係合部54を嵌合させた際に、このガイド調整体51の嵌合溝部55にピボット71の嵌合凸部74が嵌合する。この結果、ピボット71に対するガイド調整体51の離脱を防止できる。
【００４９】
次に、本発明の第２の実施の形態の構成を図５および図６を参照して説明する。
【００５０】
この図５および図６に示すガイド支持装置１は、基本的には図１ないし図４に示すガイド支持装置１と同一であるが、ガイド調整体51にスパナ保持部56を形成する代わりに、このスパナ保持部56を回動部材61の底部64側の外周面に形成したものである。
【００５１】
このスパナ保持部56は、正六角形状に形成されており、対向する各辺が平行である。そして、このスパナ保持部56の対向する一対の辺間には、六角スパナが嵌合され、この六角スパナで回動部材61がケース体31に対して回動される。
【００５２】
この結果、スパナ保持部56に嵌合させた六角スパナで回動部材61を回動することにより、この回動部材61の回動に伴いガイド調整体51が回動するため、図１ないし図４に示すガイド支持装置１と同様の作用効果を奏することができる。
【００５３】
また、ガイド調整体51のガイド53より径大な回動部材61にスパナ保持部56を形成したことにより、ガイド調整体51のガイド53を六角スパナで回動させる場合に比べ、ケース体31に対するガイド調整体51の回動を簡単にできるとともに、引戸体４の厚み方向におけるガイド調整本体52の軸中心とケース体31の軸中心との距離の微調整を簡単にできる。
【００５４】
次に、本発明の第３の実施の形態の構成を図７および図８を参照して説明する。
【００５５】
この図７および図８に示すガイド支持装置１は、基本的には図１ないし図４に示すガイド支持装置１と同一であるが、ガイド調整体51の軸方向への移動のみを許容する上下案内部91と、ケース体31に対するガイド調整体51の回動を許容する回動空間部92とをそれぞれケース体31に設けたものである。
【００５６】
そして、上下案内部91は、ケース体31の開口部33側の内周縁に形成されており、このケース体31の内周面の周方向に向けて等間隔に離間した位置に、このケース体31の軸方向に沿ったＶ溝状に複数、例えば８つ形成されている。また、この上下案内部91よりケース体31の底部36側には、回動空間部92が形成されている。この回動空間部92は、上下案内部91の最大内径寸法より若干径大な内径寸法を有している。
【００５７】
さらに、ガイド調整体51のガイド調整本体52の外周面には、ケース体31の上下案内部91に嵌合する複数、例えば８つの回動規制片93が形成されている。これら回動規制片93は、ガイド調整本体52の外周面の周方向に向けて等間隔に離間された位置に、このガイド調整本体52の軸方向に沿って突出する。また、回動規制片93は、ケース体31の上下案内部91にそれぞれ嵌合してこのケース体31内に挿入され、また、このケース体31の回動空間部92に挿入された際に、これら回動規制片93と上下案内部91との嵌合が解除されて、ケース体31に対しガイド調整体51を回動可能にする。
【００５８】
この結果、ガイド調整体51の回動規制片93をケース体31の回動空間部92まで挿入した状態で、スパナ保持部56に嵌合させた六角スパナでガイド調整体51が回動するので、図１ないし図４に示すガイド支持装置１と同様の作用効果を奏することができる。
【００５９】
また、ケース体31に対して回動部材61を回動させた後、ばね体41の弾性力でガイド調整体51の回動規制片93を再度、ケース体31の上下案内部91に嵌合させることにより、ケース体31に対するガイド調整体51の回動を防止できる。この結果、ガイドレール５に対する引戸体４の厚み方向における調整をより簡単にでき、調整後の引戸体４をより正確に保持できる。
【００６０】
次に、本発明の第４の実施の形態の構成を図９ないし図１１を参照して説明する。
【００６１】
この図９ないし図１１に示すガイド支持装置１は、基本的には図１ないし図４に示すガイド支持装置１と同一であるが、ケース体31の開口部33の内縁に周方向に沿って回り止め部としてのローレット94を設けるとともに、回動部材61の底部64に開口部62側に向けて突出する突出部95を設け、この突出部95の外周面にケース体31のローレット94と係合する回り止め部としてのローレット96を設けたものである。
【００６２】
そして、突出部95は、回動部材61の底部64の中心からこの回動部材61の開口部62側に向けて略円柱体の一部を径方向から切り欠いた三日月形状に突設されている。ここで、この突出部95における切り欠かれた部分は、挿通孔65に連通している。また、この突出部95の外周面における互いに等間隔に離間した複数箇所、例えば３ヶ所には、回動部材61をケース体31に嵌合させた際に、このケース体31のローレット94に係合するローレット96が回動部材61の軸方向に沿って設けられている。
【００６３】
さらに、回動部材61の外周面は、平面視略正八角形状に形成されて操作部としてのスパナ保持部97が設けられている。このスパナ保持部97の各角部は、図示しないスパナが嵌合しやすいように円弧状に形成されている。また、開口部62と対向した回動部材61の底部64には、この回動部材61の回動角度などが確認可能となる目印部98が設けられている。
【００６４】
この結果、回動部材61のスパナ保持部97に六角スパナを係合させてこの六角スパナで回動部材61をケース体31に対して回動することにより、この回動部材61の回動に伴いガイド調整体51が回動するため、図１ないし図４に示すガイド支持装置１と同様の作用効果を奏することができる。
【００６５】
さらに、ケース体31の内周面にローレット94を設け、回動部材61の突出部95の外周面にローレット96を設けたので、ケース体31のローレット94を回動部材61のローレット96に係合させることにより、この回動部材61の外周面の内側と突出部の外側との間にケース体31のフランジ部34が挟み込まれる。このため、ケース体31に対して回動部材61をより安定させて嵌合できるので、ケース体31に対する回動部材61の回動をより安定化できる。
【００６６】
なお、上記各実施の形態では、引戸体４の上端面に走行体３を取り付け、この引戸体４の下端面にガイド支持装置１を取り付けた構成について説明したが、このような構成に限定されることはなく、引戸体４の下端面に走行体３を取り付け、この引戸体４の上端面にガイド支持装置１を取り付けることもできる。そして、このように構成することにより、上記各実施の形態と同様の作用効果を奏することができる。
【００６７】
【発明の効果】
請求項１記載のガイド支持装置によれば、ガイド調整体の回転中心からガイドを偏心してガイド体に係合したため、ケース体に対してガイド調整体を適宜に回動することにより、取付部材とガイド体とを建付け調整できるので、ガイド体に対する取付部材の建付け調整を簡単にできるとともに、構造を簡単にでき、組付け性を向上できる。
【００６８】
さらに、回動部材の挿通孔にガイドを嵌挿し、この回動部材をケース体に回動可能に取り付けたので、ケース体からのガイド調整体の離脱を防止でき、また、ケース体に対して回動部材を回動することにより、ガイド調整体が回動するので、ガイド体に対する取付部材の建付け調整をより簡単にできる。
【００６９】
また、ケース体の回動空間部以外の位置でガイド調整体が回動不能となるので、ガイド調整体を回動空間部へと移動してこのガイド調整体を回動した後、このガイド調整体を上下案内部へと移動することにより、ガイド体に対する取付部材の厚み方向における調整ができるため、ガイド体に対する取付部材の厚み方向における調整をより簡単にでき、この調整位置をより正確に保持できる。
【００７０】
請求項２記載のガイド支持装置によれば、請求項１記載のガイド支持装置の効果に加え、操作部でガイド調整体を回動できるので、取付部材の厚み方向における調整を簡単にでき、さらには、取付部材を吊り込んだ後であっても、ガイド体に対する取付部材の厚み方向における建付け調整を簡単にできる。
【００７１】
請求項３記載のガイド支持装置によれば、請求項１または２記載のガイド支持装置の効果に加え、互いの回動を規制する回り止め部を回動部材およびケース体に設けたため、部品点数を増やすことなく、簡単な構成で回り止めを構成でき、さらには、取付部材における厚み方向の調整位置を確保できる。
【００７２】
請求項４記載のガイド支持装置によれば、請求項３記載のガイド支持装置の効果に加え、ケース体の内周面に回り止め部を設け、ケース体の内周面に係合する突出部の外周面に回動部材の回り止め部を設ければ、ケース体に回動部材を取り付けた際に、このケース体が回動部材と突出部との間に挟み込まれるから、ケース体に対する回動部材の回動をより安定にできる。
【図面の簡単な説明】
【図１】  本発明のガイド支持装置の第１の実施の形態の取り付け状態を示す一部を切り欠いた正面図である。
【図２】  同上ガイド支持装置を示す分解斜視図である。
【図３】  同上ガイド支持装置を示す断面図である。
【図４】  同上ガイド支持装置の回動部材を示す斜視図である。
【図５】  本発明の第２の実施の形態を示す分解斜視図である。
【図６】  同上ガイド支持装置を示す断面図である。
【図７】  本発明の第３の実施の形態を示す分解断面図である。
【図８】  同上ガイド支持装置を示す断面図である。
【図９】  本発明の第４の実施の形態を示す分解斜視図である。
【図１０】  同上ガイド支持装置を示す断面図である。
【図１１】  同上ガイド支持装置の回動部材を示す斜視図である。
【符号の説明】
１    ガイド支持装置
４    取付部材としての引戸体
５    ガイド体としてのガイドレール
31    ケース体
35    回り止め部としてのローレット
51    ガイド調整体
53    ガイド
56    操作部としてのスパナ保持部
61    回動部材
62 開口部
63    回り止め部としてのローレット
65    挿通孔
91    上下案内部
92    回動空間部
94    回り止め部としてのローレット
95    突出部
96    回り止め部としてのローレット
97    操作部としてのスパナ保持部
【図１】
0003931050.tif 000002
【図２】
0003931050.tif 000003
【図３】
0003931050.tif 000004
【図４】
0003931050.tif 000005
【図５】
0003931050.tif 000006
【図６】
0003931050.tif 000007
【図７】
0003931050.tif 000008
【図８】
0003931050.tif 000009
【図９】
0003931050.tif 000010
【図１０】
0003931050.tif 000011
【図１１】
0003931050.tif 000012